(57)【特許請求の範囲】
【請求項１】
固定側部材に対して回転側部材を回動自在に軸支し、回転側部材を回動することで固定側部材と回転側部材間に設けた電気的機能部の出力を変化するとともに、
ねじりコイルバネのコイル部を前記回転側部材に取り付け、回転側部材の中立位置においてねじりコイルバネのコイル部両端の引出部を回転側部材に設けた当接部と固定側部材に設けた係止部に係止し、回転側部材を回動することで一方の引出部が当接部によって押圧されてコイル部がねじられることで生じる弾発力で回転側部材に中立位置への自動復帰力を生じさせる揺動式電子部品において、
前記回転側部材に、ねじりコイルバネのコイル部を収納する弾発手段収納部を設け、弾発手段収納部の内周面で前記コイル部の外周を支持することを特徴とする揺動式電子部品。
【請求項２】
前記ねじりコイルバネの両引出部が、回転側部材の中立位置において回転側部材の下部に水平な位置と上部に水平な位置の間に位置していることを特徴とする請求項１に記載の揺動式電子部品。
【請求項３】
前記固定側部材の前面側に取り付けた回転側部材の前面側にさらに取付板を取り付け、
前記固定側部材の下部から突出するアーム部の先端を後方向に屈曲してなる当接部を設け、
且つ前記取付板の下辺から下方向に突出して前面側に屈曲してなる当接部を設け、
これら両当接部によってこの揺動式電子部品を基板表面に立設することを特徴とする請求項１又は２に記載の揺動式電子部品。
【発明の詳細な説明】
【０００１】
【発明の属する技術分野】
本発明は、回転側部材を回動することで電気的出力を変化する揺動式電子部品に関し、特に回転側部材に中立点復帰用の弾発手段を備えた構造の揺動式電子部品に関するものである。
【０００２】
【従来の技術】
図８はこの種の従来の揺動式電子部品８０を示す図である。同図（ａ）に示す揺動式電子部品８０は、金属板製の基台９０上に平板状のフレキシブル基板１００を載せ、その上に中立点復帰用バネ１３０を取り付けたモールド樹脂製の回転側部材１１０を回動自在に取り付けて構成されている。ここで基台９０の両側辺の下部の対向する位置には紙面手前側に折り曲げられて突出する係止片９１，９３が設けられ、また基台９０のほぼ中央には紙面手前側に突出する円筒状の軸部９５が設けられている。
【０００３】
フレキシブル基板１００はその表面の回転側部材１１０によって隠れている部分に、円弧状のスイッチパターン（または抵抗パターン）を印刷し、その下端部から端子１１１を突出して構成されている。
【０００４】
回転側部材１１０はモールド樹脂製であり、略円板状の基部１１１の外周側面からレバー１１３を突出し、また基部１１１の中央を前記軸部９５によって回動自在に軸支し、その周囲に突出部１２３を設け、さらにその周囲にリング状に凹むバネ収納部１１７を設け、バネ収納部１１７の下部には切り欠き１１８を設けてその両側を当接部１１９，１２１とし、突出部１２３の上部にバネの抜け防止用の小突起１２５を設け、さらに切り欠き１１８の部分からは下方向に向かって突出する係止片１２７を設けて構成されている。なお基部１１１のフレキシブル基板１００側の面には図示しない摺動子が取り付けられており、フレキシブル基板１００のスイッチパターン（または抵抗パターン）に当接している。
【０００５】
中立点復帰用バネ１３０はねじりコイルバネであり、リング状に巻いたコイル部１３１をバネ収納部１１７内に収納し、両端の引出部１３３，１３５をそれぞれ回転側部材１１０の当接部１１９，１２１と、基台９０の係止片９１，９３の両者に係止することで回転側部材１１０を中立点に位置せしめている。
【０００６】
そして例えば図８（ｂ）に示すようにレバー１１３を矢印ａ方向に押圧すると回転側部材１１０は時計回りに揺動し、図示しない摺動子がスイッチパターン（または抵抗パターン）上を摺動することで端子１１１間の電気的出力を変化する。
【０００７】
このとき中立点復帰用バネ１３０の左側の引出部１３３は係止片９１に係止されたままであるが、右側の引出部１３５は当接部１２１に押圧されて引出部１３３側に移動し、このときコイル部１３１はその外径が小さくなるようにねじられて強い弾発復帰力を生じる。従ってレバー１１３への押圧を解除すると回転側部材１１０は元の中立点位置に自動復帰する。
【０００８】
しかしながら上記従来の揺動式電子部品８０には以下のような問題点があった。
▲１▼中立点復帰用バネ１３０の２本の引出部１３３，１３５は斜め下方向に向けて突出しているので、揺動式電子部品８０の小型化、特にその高さを低くすることができなかった。
【０００９】
▲２▼回転側部材１１０を揺動した際、中立点復帰用バネ１３０の２本の引出部１３３，１３５の間隔が狭まって同時にコイル部１３１の外径が小さくなるが、このときコイル部１３１が突出部１２３の外周を締め付けると、回転側部材１１０の動きが阻害される。このためコイル部１３１の内径は突出部１２３に挿入された際にゆとりを持った寸法に設計しておく必要がある。しかしながらそうすると突出部１２３に挿入したコイル部１３１の軸支に大きなガタが生じ、中立点位置における回転側部材１１０に揺動方向のガタを生じる恐れがあった。
【００１０】
【発明が解決しようとする課題】
本発明は上述の点に鑑みてなされたものでありその目的は、小型化が図れ、また回転側部材に回動方向のガタを生じない揺動式電子部品を提供することにある。
【００１１】
【課題を解決するための手段】
上記問題点を解決するため本発明は、固定側部材に対して回転側部材を回動自在に軸支し、回転側部材を回動することで固定側部材と回転側部材間に設けた電気的機能部の出力を変化するとともに、ねじりコイルバネのコイル部を前記回転側部材に取り付け、回転側部材の中立位置においてねじりコイルバネのコイル部両端の引出部を回転側部材に設けた当接部と固定側部材に設けた係止部に係止し、回転側部材を回動することで一方の引出部が当接部によって押圧されてコイル部がねじられることで生じる弾発力で回転側部材に中立位置への自動復帰力を生じさせる揺動式電子部品において、前記回転側部材に、ねじりコイルバネのコイル部を収納する弾発手段収納部を設け、弾発手段収納部の内周面で前記コイル部の外周を支持することを特徴とする揺動式電子部品にある。
【００１３】
【発明の実施の形態】
以下、本発明の実施の形態を図面を参照して詳細に説明する。
図２は本発明の一実施形態にかかる揺動式電子部品１の分解斜視図である。同図に示すように揺動形電子部品１は、固定側部材１０に対して回転側部材５０を回動自在に軸支し、その前面側に取付板４０を取り付けて構成されている。以下各構成部品について説明する。
【００１４】
図３は固定側部材１０を裏面側から見た斜視図、図４は補強板１１とフレキシブル基板１６とを裏面側から見た分解斜視図である。図３，図４及び図２に示すように固定側部材１０は、補強板１１上にフレキシブル基板１６を載置した状態でその周囲にモールド樹脂製の枠部材２５を取り付けて構成されている。
【００１５】
補強板１１は半円形状の金属板で構成され、中央部分に筒状に突出する軸支部１３を設け、またその両端下部からアーム部１５，１５を突出している。アーム部１５，１５の先端には後方向に屈曲してなる当接部１７，１７が設けられている。フレキシブル基板１６はその表面に円弧状の摺接パターン１８を設けて構成されている。摺接パターン１８はスイッチパターンであっても、抵抗体パターンであっても、それ以外の機能を有するパターンであっても良い。
【００１６】
そして補強板１１上にフレキシブル基板１６を載せ、その際フレキシブル基板１６中央の穴１６１に軸支部１３を貫通し、また摺接パターン１８からフレキシブル基板１６の下端辺まで引き出した図示しない３つの端子パターン上にそれぞれ金属板製の端子１９を接合し、この状態のものをそのまま枠部材２５成型用の金型内に挟持して枠部材２５をモールド成形すれば、図２，図３に示す固定側部材１０が完成する。各端子１９の下端には後方向に屈曲してなる当接部２０，２０が設けられている。
【００１７】
枠部材２５はフレキシブル基板１６の摺接パターン１８の部分を露出した状態でその周囲を囲むように成形されており、その上部中央にはストッパー用の係止部２７が設けられ、またその下部両側には前方に向かって突出する取付部２９，２９が設けられている。取付部２９の上面は外方向に向かって下がるように傾斜する面状の係止部３１，３１となっている。取付部２９，２９の両外側には下記する取付板４０の係止片４３を挿入する挿入部３５とその後側の引掛け部３７とが設けられ、また取付部２９，２９の前面側には突起からなる取付部３３，３３が設けられている。
【００１８】
取付板４０は帯状の基部４１の両端に後側に折り曲げてなる係止片４３，４３を設け、また係止片４３，４３先端に引掛け部４５，４５を設け、また基部４１の両端近傍に穴からなる固定部４７，４７を設け、さらに基部４１の下辺から下方向に突出して前面側に屈曲してなる当接部４９，４９を設けて構成されている。
【００１９】
図５は回転側部材５０の分解斜視図である。同図に示すように回転側部材５０は回転部材５１と摺動子６７とねじりコイルバネ（弾発手段）７３と押え部材７９とを具備して構成されている。ここで回転部材５１は略円板状のモールド樹脂成形品であり、一方の面を摺動子取付面５３とし、他方の面を弾発手段収納部５５としている。弾発手段収納部５５はその外周から円形の側壁５７を突出することで構成され、その両側に切欠き状の引出部突出部５９，５９を設け、またその上下部分に突起からなる固定部６１，６１を設け、またその中央に前記固定側部材１０の軸支部１３を回動自在に挿入する軸受部６３を設けている。また回転側部材５０の上面からはつまみ取付部６５を突出している。引出部突出部５９，５９の下側の面は当接部６０，６０となっている。弾発手段収納部５５の内径は、下記するねじりコイルバネ７３のコイル部７５の外径よりも少し大きい寸法に形成され、これによって弾発手段収納部５５の内周面部分でコイル部７５の外周を支持するように構成されている。
【００２０】
摺動子６７は弾性金属板を略リング状に形成し、その上下部分２ヶ所に穴からなる取付部６９，６９を設け、また左右両側部分２ヶ所に摺接部７１，７１を設けて構成されている。
【００２１】
ねじりコイルバネ７３は線材をコイル状に巻き回したコイル部７５の両端から引出部７７，７７を引き出して構成されている。このねじりコイルバネ７３は両引出部７７，７７を上方向に移動することでコイル部７５の内径が小さくなるように絞られる方向になるように巻き回されている。
【００２２】
押え部材７９はリング状の金属板であって前記回転部材５１の弾発手段収納部５５を塞ぐ外形形状に構成され、その上下には前記回転部材５１の固定部６１，６１を挿入する溝状の固定部係止部８１，８１を設けている。
【００２３】
そしてこの回転側部材５０を組み立てるには、まず回転部材５１の摺動子取付面５３に摺動子６７を載置して摺動子取付面５３に設けた図示しない小突起を摺動子６７の取付部６９，６９に挿入してその先端を熱カシメすることで固定する。
【００２４】
次に回転部材５１の弾発手段収納部５５内にねじりコイルバネ７３のコイル部７５を収納して両端の引出部７７，７７をそれぞれ回転部材５１の引出部突出部５９，５９から突出させて当接部６０，６０に弾接させ、その上から押え部材７９を被せて固定部係止部８１，８１に固定部６１，６１を挿入しておく。これによって図２に示す回転側部材５０が完成する。
【００２５】
そして固定側部材１０の軸支部１３を回転側部材５０の軸受部６３に挿入することで固定側部材１０の前面側に回転側部材５０を回動自在に軸支し、その際ねじりコイルバネ７３の引出部７７，７７をそれぞれ係止部３１，３１に弾接させる。そして回転側部材５０の上側から取付板４０を被せて係止片４３，４３を挿入部３５，３５に挿入して引掛け部４５，４５を引掛け部３７，３７に係止し、同時に取付部３３，３３を固定部４７，４７に挿入することで一体化する。このとき摺動子６７の摺接部７１，７１はフレキシブル基板１６の摺接パターン１８上に当接しており、電気的機能部を構成している。
【００２６】
図６は以上のようにして構成された揺動式電子部品１を示す斜視図である。また図１は揺動式電子部品１の要部構成図である。図１，図６に示すようにねじりコイルバネ７３の引出部７７，７７は回転側部材５０の当接部６０，６０と固定側部材１０の係止部３１，３１に弾接しており、これによって回転側部材５０は中立位置に保持されている。またねじりコイルバネ７３のコイル部７５の外周は前述のように弾発手段収納部５５の内周部分で支持されている。
【００２７】
図１に示すようにこの揺動式電子部品１は、例えばその外周をケース２００によって覆い、つまみ取付部６５につまみ２１０を取り付け、つまみ２１０の突出部２１１をケース２００の開口２０１から突出して使用される。
【００２８】
そして例えば突出部２１１を矢印Ａ方向に揺動させれば、回転側部材５０全体が矢印Ａ方向に揺動し、摺動子６７の摺接部７１，７１がフレキシブル基板１６の摺接パターン１８，１８上を摺動して端子１９間の電気的出力を変化する。その際ねじりコイルバネ７３の左側の引出部７７は元の位置に保持されたまま右側の引出部７７が当接部６０によって押し上げられて図７に示す状態となる。このときねじりコイルバネ７３のコイル部７５はそのターン数を増やす方向にねじられるためその外径は小さくなり、従ってコイル部７５の外周が弾発手段収納部５５の内周に強く当接することはなく、そのねじれがスムーズかつ確実に行なえる。
【００２９】
上記構造の揺動式電子部品１においては、図２に示すようにねじりコイルバネ７３の両引出部７７，７７は回転側部材５０の中立位置において回転側部材５０の下部（下端部）に水平な位置Ｌ２と上部（上端部）に水平な位置Ｌ１との間に位置している。即ち両引出部７７，７７は略左右方向に突出している。特にこの実施形態においては回転側部材５０を左右に最も揺動させた状態でも両引出部７７，７７は回転側部材５０の下部に水平な位置Ｌ２と上部に水平な位置Ｌ１の間に位置している。このため、両引出部７７，７７によって揺動式電子部品１の高さ寸法が高くなることはなく、揺動式電子部品１の小型化が図れる。
【００３０】
ところで図８に示す従来の揺動式電子部品８０の場合、その構造上これを別の基板上に取り付ける場合、端子１１１を基板に設けた穴に挿入してその裏面側を溶融金属付けすることとなり、基板表面に予め溶融金属を印刷しておいてその上に電子部品を載せてリフローすることで溶着するいわゆる表面実装に向かなかった。しかしながら本実施形態にかかる揺動式電子部品１の場合、固定側部材１０に回転側部材５０を取り付け、さらに回転側部材５０の上から取付板４０を取り付け、固定側部材５０の当接部１７（又は端子１９の当接部２０）と取付板４０の当接部４９とによって揺動式電子部品１を基板表面に立設した状態で安定して載置しておくことができるので、表面実装が容易に行なえる。
【００３１】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば上記実施形態では摺動子６７と摺接パターン１８とによって電気的機能部を構成したが、本発明がこの構造に限定されないことは言うまでもなく、回転側部材を回動することで固定側部材と回転側部材間に設けた電気的機能部の出力を変化する構造の電気的機能部であれば他のどのような構造の電気的機能部であっても良い。
【００３２】
【発明の効果】
以上詳細に説明したように本発明によれば、回転側部材の中立位置におけるコイル部の支持がガタなく確実に行なえ、中立位置における回転側部材の揺動方向のガタを確実に防止できる。
またねじりコイルバネの両引出部が、回転側部材の中立位置において回転側部材の下部に水平な位置と上部に水平な位置の間に位置するように構成した場合は、揺動式電子部品の小型化、特にその高さを低くすることができる。
【図面の簡単な説明】
【図１】揺動式電子部品１の要部構成図である。
【図２】揺動式電子部品１の分解斜視図である。
【図３】固定側部材１０を裏面側から見た斜視図である。
【図４】補強板１１とフレキシブル基板１６とを裏面側から見た分解斜視図である。
【図５】回転側部材５０の分解斜視図である。
【図６】揺動式電子部品１を示す斜視図である。
【図７】揺動式電子部品１の動作説明図である。
【図８】従来の揺動式電子部品８０を示す図である。
【符号の説明】
１  揺動式電子部品
１０  固定側部材
１１  補強板
１３  軸支部
１６  フレキシブル基板
１７  当接部
１８  摺接パターン（電気的機能部）
１９  端子
２０  当接部
２５  枠部材
２９  取付部
３１  係止部
４０  取付板
４１  基部
４３  係止片
４９  当接部
５０  回転側部材
５１  回転部材
５３  摺動子取付面
５５  弾発手段収納部
５９  引出部突出部
６０  当接部
６７  摺動子（電気的機能部）
７３  ねじりコイルバネ
７５  コイル部
７７  引出部
７９  押え部材
【図１】
0003759033.tif 000002
【図２】
0003759033.tif 000003
【図３】
0003759033.tif 000004
【図４】
0003759033.tif 000005
【図５】
0003759033.tif 000006
【図６】
0003759033.tif 000007
【図７】
0003759033.tif 000008
【図８】
0003759033.tif 000009